(57)【特許請求の範囲】
【請求項１】
単品コード入力手段により単品コードが入力されると、その単品コードが付された商品の販売データを記憶部に売上登録処理し、登録締め入力手段により商品売買取引の登録終了が宣言されると、その取引で売上登録処理された全商品の合計金額を算出して表示部に表示する商品販売登録処理装置において、
前記商品売買取引に関する項目で構成される複数パターンの宝探し適用条件別に宝に相当する商品の単品コードを予め記憶する宝適用条件設定テーブルと、
前記登録締め入力手段により商品売買取引の登録終了が宣言されるまでその取引で売上登録処理された全商品の単品コードを記憶保持する登録商品バッファと、
前記登録締め入力手段により登録終了が宣言された商品売買取引が前記宝適用条件設定テーブルに設定された各宝探し適用条件の少なくとも１パターンを満足するか否かを判別する宝探し適用条件判定手段と、
この判定手段により少なくとも１パターンの宝探し適用条件を満足すると判別されると、前記宝適用条件設定テーブルにその満足する宝探し適用条件に対応して設定された宝商品の単品コードが前記登録商品バッファに存在するか検索する宝検索手段と、
この宝検索手段により前記宝商品の単品コードが前記登録商品バッファから検出されると、特典を付与するための情報処理を実行する宝サービス処理手段とを具備したことを特徴とする商品販売登録処理装置。
【請求項２】
単品コード入力手段により単品コードが入力されると、その単品コードが付された商品の販売データを記憶部に売上登録処理し、登録締め入力手段により商品売買取引の登録終了が宣言されると、その取引で売上登録処理された全商品の合計金額を算出して表示部に表示する商品販売登録処理装置において、
前記商品売買取引に関する項目で構成される複数パターンの宝探し適用条件別に宝に相当する商品の単品コード及び特典の内容を示す特典識別情報を予め記憶する宝適用条件設定テーブルと、
前記登録締め入力手段により商品売買取引の登録終了が宣言されるまでその取引で売上登録処理された全商品の単品コードを記憶保持する登録商品バッファと、
前記登録締め入力手段により登録終了が宣言された商品売買取引が前記宝適用条件設定テーブルに設定された各宝探し適用条件の少なくとも１パターンを満足するか否かを判別する宝探し適用条件判定手段と、
この判定手段により少なくとも１パターンの宝探し適用条件を満足すると判別されると、前記宝適用条件設定テーブルにその満足する宝探し適用条件に対応して設定された宝商品の単品コードが前記登録商品バッファに存在するか検索する宝検索手段と、
この宝検索手段により前記宝商品の単品コードが前記登録商品バッファから検出されると、前記宝適用条件設定テーブルに前記宝商品とともに設定された特典識別情報に従い特典を付与するための情報処理を実行する宝サービス処理手段と、
を具備したことを特徴とする商品販売登録処理装置。
【発明の詳細な説明】
【０００１】
【発明の属する技術分野】
本発明は、流通小売業で利用されるＰＯＳ（Point Of Sales：販売時点情報管理）ターミナル，電子式キャッシュレジスタ，レジスタ機能付対面販売用秤等の商品販売登録処理装置に関し、特に、或る特定商品を宝に見立てた宝探し形式の販売促進サービスを行う店舗で使用して好適な装置に関する。
【０００２】
【従来の技術】
ＰＯＳターミナルは、一般に、各商品固有の単品コードに対応して単価，品名等の商品情報をプリセットした商品情報ファイルを有し、キーボード，スキャナなどの入力装置を介して販売商品の単品コードが入力されると、その単品コードに対応する商品情報を前記商品情報ファイルから読込み、この商品情報に基づいて前記販売商品の販売データを売上登録ファイルに売上登録処理する。また、キーボードに配置された登録締め入力用キーの操作により商品売買取引の登録終了が宣言されると、その取引で売上登録処理された全商品の合計金額を算出して表示器に表示するとともに、プリンタでレシートを印字して発行するものとなっている。
【０００３】
このものにおいて、従来、或る特定商品を宝に見立てた宝探し形式の販売促進サービスに対応可能な機種としては、前記商品情報ファイルに宝商品か否かを識別するフラグを記憶するエリアを設け、各商品毎に宝商品か否かを任意に設定できるようにする。そして、商品売買取引で売上登録処理された商品の中に宝商品に指定された商品が含まれている場合に、その取引に対して印字発行されるレシートに規定の割引券データを印字して、後日、その買い物客が割引サービスを得られるようにしたものがあった。
【０００４】
【発明が解決しようとする課題】
しかしながら、従来のこの種の商品販売登録処理装置においては、商品情報ファイルに宝商品としてのフラグが設定された商品を買い上げた客に対しては必ず割引券という特典が付与されるため、客に宝商品がどれなのかを容易に知られるという問題があった。このような問題は、商品情報ファイルに設定される宝商品としてのフラグを短い間隔で変更すれば解決できるが、フラグを変更するにはＰＯＳターミナルまたは該ターミナルを制御する上位コンピュータの煩雑な操作が必要で、短い間隔での変更は困難であった。このため、客に宝商品がどれなのかを容易に知られてしまい、宝探しとしての興味が失せ、販売促進の効果を保ち続けることができないという懸念があった。
【０００５】
本発明はこのような事情に基づいてなされたもので、その目的とするところは、或る特定商品を宝に見立てた宝探し形式の販売促進サービスを、店員の負担になることなく宝商品がどれなのかを客に知られにくい状態で実施できる商品販売登録処理装置を提供しようとするものである。
【０００６】
【課題を解決するための手段】
本願請求項１記載の発明は、単品コード入力手段により単品コードが入力されると、その単品コードが付された商品の販売データを記憶部に売上登録処理し、登録締め入力手段により商品売買取引の登録終了が宣言されると、その取引で売上登録処理された全商品の合計金額を算出して表示部に表示する商品販売登録処理装置において、商品売買取引に関する項目，例えば取引の時間帯や合計金額などで構成される複数パターンの宝探し適用条件別に宝に相当する商品の単品コードを予め記憶する宝適用条件設定テーブルと、登録締め入力手段により商品売買取引の登録終了が宣言されるまでその取引で売上登録処理された全商品の単品コードを記憶保持する登録商品バッファとを設ける。そして、登録締め入力手段により登録終了が宣言された商品売買取引が宝適用条件設定テーブルに設定された各宝探し適用条件の少なくとも１パターンを満足するか否かを判別し、少なくとも１パターンの宝探し適用条件を満足すると判別されると、宝適用条件設定テーブルにその満足する宝探し適用条件に対応して設定された宝商品の単品コードが登録商品バッファに存在するか検索し、宝商品の単品コードが登録商品バッファから検出されると、特典を付与するための情報処理を実行するようにしたものである。
【０００７】
また、本願請求項２記載の発明は、上記請求項１記載の発明において、宝適用条件設定テーブルに、宝探し適用条件別に宝商品の単品コードとともに特典の内容を示す特典識別情報を予め記憶する。そして、商品売買取引が宝適用条件設定テーブルに設定された各宝探し適用条件の少なくとも１パターンを満足し、かつ宝商品の単品コードが登録商品バッファから検出されると、宝適用条件設定テーブルに宝商品とともに設定された特典識別情報に従い特典を付与するための情報処理を実行するようにしたものである。
【０００８】
【発明の実施の形態】
以下、本発明の一実施の形態を図面を用いて説明する。
なお、この実施の形態では、本発明をＰＯＳターミナルに適用するものとし、１買物客との商品売買取引が予め設定された取引時間帯と合計金額範囲とからなる宝探し適用条件を満足すると、その宝探し適用条件に対応して設定された宝商品を購入しているか否かを判断し、購入している場合にその宝商品に対応して設定された内容の特典を自動的に買物客に付与するシステムについて述べる。
【０００９】
図１は本発明に関わるＰＯＳターミナル１を用いたＰＯＳシステムの概略図であって、このＰＯＳシステムは、Ｎ（Ｎ≧２）台のＰＯＳターミナル１-1，１-2，１-nと、１台のストアプロセッサ２とを、ＬＡＮ（Local Area Network）などの通信回線３で接続している。
【００１０】
ストアプロセッサ２は、各ＰＯＳターミナル１-1〜１-nで実行される販売商品の売上登録処理を一元的に制御し、その売上登録処理された各商品のデータを通信回線３を介して収集し集計して、店舗全体での商品の売上動向や在庫などを管理するもので、コンピュータを主体に構成している。
【００１１】
そして本実施の形態では、特に図２に示すように、［ＴＭＮｏ］，［宝探し時間帯］，［合計金額範囲］，［宝商品］，［特典区分］及び［特典情報］の各項目からなる宝適用条件設定レコードを蓄積する宝適用条件設定マスタファイル４をハードディスクなどの不揮発性記憶媒体上に形成しており、この宝適用条件設定マスタファイル４のレコードメンテナンス（追加，削除，修正）を適時行えるようになっている。
ここで、上記項目［ＴＭＮｏ］は各ＰＯＳターミナル１-1〜１-nに対して予め割当てられた固有のＩＤ番号であり、［宝探し時間帯］は宝探し適用条件を満たす取引時間帯の開始時刻及び終了時刻であり、［合計金額範囲］は宝探し適用条件を満たす取引合計金額の最低金額及び最高金額である。また、［宝商品］は対応する宝探し適用条件を満足するときに宝となる商品の単品コードであり、［特典区分］は対応する宝探し適用条件を満足しかつ宝商品が購入された場合に付与される特典の種類を区分するコードであり、［特典情報］は対応する特典の具体的な値である。
【００１２】
因みに、本実施の形態では、特典区分＝０１を宝商品の価格を割引きする特典とし、特典情報を割引率として処理する。また、特典区分＝０２を商品売買取引の合計金額を割引きする特典とし、特典情報を割引率として処理する。また、特典区分＝０３を商品売買取引の合計金額を値引きする特典とし、特典情報を値引率として処理する。また、特典区分＝０４を定額商品券を発行する特典とし、特典情報を発券枚数として処理する。
【００１３】
しかして、前記ストアプロセッサ２は、当該ＰＯＳシステムを構築した店舗の開店前に自動的に実行される開店前業務において、前記宝適用条件設定マスタファイル４からＴＭNo別に宝適用条件設定レコードを抽出し、各ＴＭNo別のレコードを、それぞれ該当するＴＭNoがＩＤコードとして設定されたＰＯＳターミナル１-1〜１-nに通信回線３を介して伝送して、該ＰＯＳターミナル１-1〜１-nのＲＡＭ（Random Access Memory）に形成された宝適用条件設定テーブル５-1〜５-nにダウンロードするものとなっている。
なお、各ＰＯＳターミナル１-1〜１-nの宝適用条件設定テーブル５-1〜５-nにそれぞれダウンロードされるターミナル別の宝適用条件設定レコード群は、そのＰＯＳターミナルにおいて宝探し適用条件のパターンが重複しないように、つまりはそのＰＯＳターミナルにおいて発生した商品売買取引に該当する宝探し適用条件のレコードが２つ以上存在しないように予め作成しておく。
【００１４】
図３はＰＯＳターミナル１（１-1〜１-n）の要部構成を示すブロック図であり、各ＰＯＳターミナル１-1〜１-nは同一構成である。すなわちＰＯＳターミナル１は、制御部本体としてＣＰＵ１１を搭載している。また、プログラムなどの固定的データを予め記憶したＲＯＭ（Read Only Memory）１２、各商品固有の単品コードに対応して単価，品名等の商品情報をプリセットした商品情報ファイルや、販売商品の販売データを売上登録処理する売上登録ファイルや、前記宝適用条件設定テーブル５（５-1〜５-n）等が形成されるＲＡＭ１３、現日付及び時刻を計時する時計回路１４、前記通信回線３を介して接続されるストアプロセッサ２とのデータ通信を制御する通信インタフェース１５の他、キーボードから操作キーに対応した信号を取込むキーボードコントローラ１６、表示器のデータ表示を制御する表示器コントローラ１７、プリンタのデータ印字を制御するプリンタコントローラ１８及びスキャナからスキャニングデータを取込むスキャナコントローラ１９の各入出力機器コントローラを搭載している。さらに、信号の入出力を行うＩ／Ｏ（Input/Output）ポート２０を搭載しており、前記ＣＰＵ１１と、ＲＯＭ１２，ＲＡＭ１３，時計回路１４，通信インタフェース１５，各入出力機器コントローラ１５〜１９及びＩ／Ｏポート２０とを、アドレスバス，データバスなどのバスライン２１で接続している。
【００１５】
かかる構成において、各入出力機器コントローラ１５〜１９には、それぞれ従来周知のＰＯＳターミナルが有するものと同一の入出力機器を接続している。すなわち、前記キーボードコントローラ１６には、単品コードなどの数値データを置数するための置数キー，数値データが単品コードであることを宣言するＰＬＵキー，商品売買取引の登録終了を宣言する締めキー等が配設されたキーボード２２を接続しており、表示器コントローラ１７には、売上登録処理された商品の品名，価格や商品売買取引の合計金額などを電光表示する正面表示器２３及び客用表示器２４を接続しており、プリンタコントローラ１８にはレシート印字及びジャーナル印字を行うプリンタ２５を接続しており、スキャナコントローラ１９にはバーコードまたは２次元コードを読取るスキャナ２６を接続している。
【００１６】
また、Ｉ／Ｏポート２０には、「登録」，「精算」等の各種業務モードを選択的に切換えるモードスイッチ２７と、ドロワ２８と、ブザー２９とを接続しており、モードスイッチ２７からの信号を入力するとともに、ドロワ２８及びブザー２９に対してそれぞれ駆動信号を出力するものとなっている。
因みに、「登録」とはキーボード２２やスキャナ２６などの単品コード入力手段により販売商品の単品コードが入力されると、その単品コードに対応する商品情報を商品情報ファイルから読込み、この商品情報に基づいて販売商品の販売データを売上登録ファイルに売上登録処理し、締めキーなどの登録締め入力手段により商品売買取引の登録終了が宣言されると、その取引で売上登録処理された全商品の合計金額を算出して正面表示器２３及び客用表示器２４に表示するとともにプリンタ２５によりレシートを印字し発行する業務のモードである。また、「精算」とは、「登録」によって売上登録ファイルに売上登録処理された各商品販売データの集計データを精算レポートとして記録紙に印字出力した後、売上登録ファイルをクリアする業務のモードである。
【００１７】
また、ＲＡＭ１３には、前記商品情報ファイル．売上登録ファイル，宝適用条件設定テーブル５以外に、図４に示すように、前記締めキーなどの登録締め入力手段により商品売買取引の登録終了が宣言されるまでその取引で売上登録処理された全商品の単品コード，単価及び販売点数を記憶保持する登録商品バッファ３１、売上登録ファイルに売上登録処理した販売商品の販売金額を合算して商品売買取引の合計金額を算出する取引合計器３２、商品売買取引の最初の商品登録からその取引が終了するまでの間セットされる登録中フラグＦを記憶するフラグメモリ３３、宝コード，特典区分，特典情報及び宝フラグの各データを一時的に記憶する宝探し用ワークメモリ３４などを形成している。
【００１８】
しかして、ＣＰＵ１１は、モードスイッチ２７により「登録」モードが選択されている状態で、ＲＯＭ１２のプログラムにより図６の流れ図に示す処理を実行するものとなっている。
【００１９】
先ず、ＳＴ（ステップ）１としてキーボード２２やスキャナ２６などの単品コード入力手段により販売商品の単品コードが入力されたことを検知すると、ＳＴ２としてフラグメモリ３３の登録中フラグＦがセットされているか否かを判断する。ここで、登録中フラグＦが“０”にリセットされていた場合には、商品売買取引される最初の販売商品の単品コードが入力されたので、ＳＴ３としてこの登録中フラグＦを“１”にセットするとともに、ＳＴ４として登録商品バッファ３１及び取引合計器３２をクリアする。ＳＴ２にて登録中フラグＦが“１”にセットされていた場合には、商品売買取引される２点目以降の販売商品の単品コードが入力されたので、ＳＴ３，ＳＴ４の処理は行わない。
【００２０】
次に、ＳＴ４として入力された単品コードに対応する品名，単価等の商品情報を商品情報ファイルから読込み、この商品情報に基づいて販売商品の販売データを売上登録ファイルに売上登録処理する。また、ＳＴ５として販売商品の単品コード，単価及び販売点数を登録商品バッファ３１に格納する。このとき、登録商品バッファ３１に既に同一の単品コードが格納されていた場合には、その単品コードに対応する点数に今回の販売点数を加算してもよい。また、ＳＴ７として販売商品の販売金額を取引合計器３２のデータに加算する。さらに、ＳＴ８として販売商品の品名，単価，販売点数，販売金額などの明細情報を正面表示器２３及び客面表示器２４に表示させたならば、ＳＴ１に戻る。
【００２１】
一方、ＳＴ１にて単品コードの入力を検知せず、ＳＴ９として締めキーの入力を検知した場合には、ＳＴ１０としてフラグメモリ３３の登録中フラグＦを調べる。ここで、登録中フラグＦが“０”にリセットされていた場合には、商品売買取引される商品が登録されていないにも拘らず登録終了を宣言した誤操作なので、キー入力をエラーとしてＳＴ１に戻る。
【００２２】
これに対し、ＳＴ１０にて登録中フラグＦが“１”にセットされていた場合には、商品売買取引の登録終了が宣言されたので、ＳＴ１１として取引合計器３２のデータと税額とから当該商品売買取引の合計金額を算出して正面表示器２３及び客面表示器２４に表示させる。また、ＳＴ１２として当該商品売買取引で登録された全商品の明細やその合計金額などをプリンタ２５によりレシートに印字する。
【００２３】
次に、ＳＴ１３として図７に具体的に示す宝探し適用条件判定処理を実行する（宝探し適用条件判定手段）。
すなわちＣＰＵ１１は、先ず、ＳＴ２１として宝探し用ワークメモリ３４をクリアする。次に、ＳＴ２２として時計回路１４から現時刻を取得するとともに、取引合計器３２のデータを当該商品売買取引の税抜き合計金額として取得する。そして、ＳＴ２３として自己の宝適用条件設定テーブル５にダウンロードされている当該ＰＯＳターミナルに対する宝適用条件設定レコードの中から、現時刻を宝探し時間帯とする宝適用条件設定レコードを全て読込む。
【００２４】
ここで、ＳＴ２４として該当する宝適用条件設定レコードを１レコードでも読込むことができた場合には、次に、ＳＴ２５としてその読込んだ宝適用条件設定レコードのなかに当該商品売買取引の税抜き合計金額が合計金額範囲に属するレコードを抽出する。ここで、ＳＴ２６として該当する宝適用条件設定レコード（２以上存在することがないように予め作成されている）を読込むことができた場合には、ＳＴ２７として宝探し用ワークメモリ３４に宝フラグをセットする。また、ＳＴ２８として該当する宝適用条件設定レコードの宝商品単品コード，特典区分及び特典情報をそれぞれ宝探し用ワークメモリ３４に格納したならば、この宝適用条件判定処理を終了する。
一方、ＳＴ２４またはＳＴ２６にて該当する宝適用条件設定レコードが存在しない場合には宝フラグをセットすることなく、この宝適用条件判定処理を終了する。
【００２５】
こうして、ＳＴ１３の宝適用条件判定処理を終了したならば、ＣＰＵ１１は、次に、ＳＴ１４として当該商品売買取引が宝探し適用条件のいずれか１パターンを満足しているか否かを判断する。ここで、宝探し用ワークメモリ３４に宝フラグがセットされていた場合には宝探し適用条件の１パターンを満足していると判断し、次に、ＳＴ１５として図８に具体的に示す宝商品検索処理を実行する（宝商品検索手段）。
【００２６】
すなわちＣＰＵ１１は、ＳＴ３１として宝探し用ワークメモリ３４に格納した宝商品単品コードで登録商品バッファ３１を検索し、当該宝商品単品コードと一致する単品コードが存在するか否かを判断する。そして、当該宝商品単品コードと一致する単品コードが存在しない場合には宝無しと判断し、ＳＴ３３として宝探し用ワークメモリ３４の宝フラグをリセットして、この宝商品検索処理を終了する。これに対し、ＳＴ３２にて当該宝商品単品コードと一致する単品コードが存在しない場合には宝有りと判断し、宝フラグをリセットすることなく、この宝商品検索処理を終了する。
【００２７】
こうして、ＳＴ１５の宝商品検索処理を終了したならば、ＣＰＵ１１は、次に、ＳＴ１６として宝商品を発見したか否かを判断する。ここで、宝探し用ワークメモリ３４に宝フラグがセットされていた場合には宝商品を発見したと判断し、次に、ＳＴ１７として図９に具体的に示す宝サービス処理を実行する（宝サービス処理手段）。
【００２８】
すなわちＣＰＵ１１は、宝探し用ワークメモリ３４に格納されている特典区分を調べる。ここで、特典区分「０１」が格納されていた場合には、サービス内容が宝商品の価格割引きなので、登録商品バッファ３１に格納されている宝商品単品コードに対応する単価を、宝探し用ワークメモリ３４に格納されている特典情報の値（％）で割引処理する。そして、ブザー２９を駆動してオペレータ及び客に宝商品の発見を報知するとともに、正面表示器２３及び客用表示器２４にその割引額及び割引後の税込み合計金額を表示して、オペレータ及び客にサービス内容を報知する。また、プリンタ２５により割引額及び割引後の税込み合計金額をレシートに印字したならば、この宝サービス処理を終了する。
【００２９】
特典区分「０２」が格納されていた場合には、サービス内容が合計割引きなので、取引合計器３２に格納されている税抜き合計金額を、宝探し用ワークメモリ３４に格納されている特典情報の値（％）で割引処理する。そして、ブザー２９を駆動してオペレータ及び客に宝商品の発見を報知するとともに、正面表示器２３及び客用表示器２４にその割引額及び割引後の税込み合計金額を表示して、オペレータ及び客にサービス内容を報知する。また、プリンタ２５により割引額及び割引後の税込み合計金額をレシートに印字したならば、この宝サービス処理を終了する。
【００３０】
特典区分「０３」が格納されていた場合には、サービス内容が合計値引きなので、取引合計器３２に格納されている税抜き合計金額から、宝探し用ワークメモリ３４に格納されている特典情報の値（円）を値引処理する。そして、ブザー２９を駆動してオペレータ及び客に宝商品の発見を報知するとともに、正面表示器２３及び客用表示器２４にその値引額及び値引後の税込み合計金額を表示して、オペレータ及び客にサービス内容を報知する。また、プリンタ２５により値引額及び値引後の税込み合計金額をレシートに印字したならば、この宝サービス処理を終了する。
【００３１】
特典区分「０４」が格納されていた場合には、サービス内容が定額商品券発券なので、ブザー２９を駆動してオペレータ及び客に宝商品の発見を報知するとともに、正面表示器２３及び客用表示器２４に税込み合計金額とともに商品券サービス有りのメッセージを表示して、オペレータ及び客にサービス内容を報知する。また、プリンタ２５により予め設定されている定額商品券の印字データを宝探し用ワークメモリ３４に格納されている特典情報の値（枚）だけレシートに印字したならば、この宝サービス処理を終了する。
【００３２】
こうして、ＳＴ１７の宝サービス処理を終了したならば、ＣＰＵ１１は、次に、ＳＴ１８としてプリンタ２５により印字されているレシートの発行とドロワ２８の開放を制御する。しかる後、ＳＴ１９としてフラグメモリ３３の登録中フラグＦを“０”にリセットしたならば、ＳＴ１に戻る。
【００３３】
このように構成された本実施の形態のＰＯＳシステムを構築して、商品を宝に見立てた宝探し形式の販売促進サービスを行う店舗においては、店舗管理者がストアプロセッサ２を操作して宝適用条件設定マスタファイル４に所望する宝適用条件設定レコードを予め登録しておく。こうすることにより、店舗の開店前に自動的に実行される開店前業務において、各ＰＯＳターミナル１-1〜１-nのＲＡＭ１３に形成された宝適用条件設定テーブル５-1〜５-nに、それぞれそのＰＯＳターミナルに対して設定された複数パターンの宝適用条件設定レコードが書込まれる。
【００３４】
この状態で、ＰＯＳターミナルを操作する店員いわゆるキャッシャは、従来と同様にキーボード２２またはスキャナ２６を操作して商品の単品コードを入力することにより、買物客が買上げる商品の単品登録を行う。そして、１買物客が買い上げる全商品の単品登録を終了すると、締めキーを押下する。そうすると、正面表示器２３及び客用表示器２４にこの買物客が買上げた全商品の合計金額（税込み）が表示されるとともに、全商品の登録明細や合計明細がレシートに印字される。
【００３５】
ここで、本実施の形態においては、前記宝探し適用条件判定処理が行われて、この買物客との商品売買取引が当該ＰＯＳターミナルに対して予め設定されている複数の宝探し適用条件パターンのうちのいずれか１パターンを満足するか否かが判定される。そして、いずれか１パターンの宝探し適用条件を満足する場合には、引き続き宝商品検索処理が実行されて、この買物客が買上げた商品の中に該当する宝探し適用条件に対して設定された宝商品が存在するか検索される。そして、宝商品が存在する場合には、引き続き宝サービス処理が実行されて、その宝商品とともに設定された特典区分及び特典情報の特典識別情報に従い、特典を付与するための情報処理が行われる。
【００３６】
すなわち特典区分が「０１」の場合には、宝商品の価格が特典情報の率で割引され、その割引額及び割引後の税込み合計金額が正面表示器２３及び客用表示器２４に表示されるとともにレシートに印字されて、レシートが発行される。
特典区分が「０２」の場合には、当該商品売買取引の税抜き合計金額が特典情報の率で割引され、その割引額及び割引後の税込み合計金額が正面表示器２３及び客用表示器２４に表示されるとともにレシートに印字されて、レシートが発行される。
特典区分が「０３」の場合には、当該商品売買取引の税抜き合計金額から特典情報の額が値引され、その値引額及び値引後の税込み合計金額が正面表示器２３及び客用表示器２４に表示されるとともにレシートに印字されて、レシートが発行される。
特典区分が「０４」の場合には、予め設定されている定額商品券の印字データが特典情報の枚数分レシートに印字されて、レシートが発行される。
【００３７】
そこでキャッシャは、従来通り、税込み合計金額分の代金支払いを買物客より受け、発行されたレシートを渡して、この買物客との商品売買取引を終了するものとなる。
【００３８】
今、ＴＭNo. ［００１］が割当てられたＰＯＳターミナル１-1の宝適用条件設定テーブル５-1に対し、宝探し時間帯［１０：００〜１１：００］，合計金額範囲［５００〜１０００］，宝商品［商品Ａ（単価５００円）の単品コード］，特典区分［０１］，特典情報［１０］の宝適用条件設定レコードＲ１と、宝探し時間帯［１０：００〜１１：００］，合計金額範囲［１００１〜２０００］，宝商品［商品Ｂ（単価１００円）の単品コード］，特典区分［０２］，特典情報［２］の宝適用条件設定レコードＲ２と、宝探し時間帯［１０：００〜１１：００］，合計金額範囲［２００１〜９９９９９］，宝商品［商品Ｃ（単価３００円）の単品コード］，特典区分［０３］，特典情報［１００］の宝適用条件設定レコードＲ３と、宝探し時間帯［１１：０１〜１２：００］，合計金額範囲［１〜９９９９９］，宝商品［商品Ａ（単価５００円）の単品コード］，特典区分［０４］，特典情報［１］の宝適用条件設定レコードＲ４が設定されていたとする。
【００３９】
この条件下において、例えば午前１０時２５分に商品Ａを１点，商品Ｂを２点，商品Ｃを１点買い上げ、その税抜き合計金額が１０００円の商品売買取引が発生したとすると、この取引は宝適用条件設定レコードＲ１で設定された宝探し適用条件を満足する。このとき宝商品は商品Ａであり、この宝商品Ａが買い上げられているので、商品Ａの価格が１０％割引される宝サービス処理が実行されることになる。このときのレシートの印字例を図５（ａ）に示す。図示するように、買物客は、このレシートから宝に当たったこと、及びそのサービスが商品Ａの１０％割引であることを知り得る。
【００４０】
これに対し、同時刻に商品Ｂを４点と商品Ｃを２点買い上げ、その税抜き合計金額がやはり１０００円の商品売買取引が発生した場合には、宝適用条件設定レコードＲ１で設定された宝探し適用条件を満足するものの、宝商品（商品Ａ）が買い上げられていないので宝サービス処理は実行されない。
【００４１】
また、同時刻に商品Ａを１点，商品Ｂを３点，商品Ｃを１点買い上げ、その税抜き合計金額が１１００円の商品売買取引が発生したとすると、この取引は宝適用条件設定レコードＲ２で設定された宝探し適用条件を満足する。このとき宝商品は商品Ｂであり、この宝商品Ｂが買い上げられているので、税抜き合計金額が２％割引される宝サービス処理が実行されることになる。
【００４２】
また、同時刻に商品Ａを４点，商品Ｂを１点，商品Ｃを１点買い上げ、その税抜き合計金額が２４００円の商品売買取引が発生したとすると、この取引は宝適用条件設定レコードＲ３で設定された宝探し適用条件を満足する。このとき宝商品は商品Ｃであり、この宝商品Ｃが買い上げられているので、税抜き合計金額から１００円が値引される宝サービス処理が実行されることになる。
【００４３】
また、例えば午前１１時２５分に商品Ａを１点，商品Ｂを２点，商品Ｃを１点買い上げ、その税抜き合計金額が１０００円の商品売買取引が発生したとすると、この取引は宝適用条件設定レコードＲ４で設定された宝探し適用条件を満足する。このとき宝商品は商品Ａであり、この宝商品Ａが買い上げられているので、定額商品券を１枚発券する宝サービス処理が実行されることになる。このときのレシートの印字例を図５（ｂ）に示す。図示するように、買物客は、このレシートから宝に当たったこと、及びそのサービスが額面１００円の商品券５１であることを知り得る。
【００４４】
このように本実施の形態によれば、商品を宝に見立てた宝探し形式の販売促進サービスをキャッシャの負担になることなく導入することができる。この場合において、宝となる商品は、ＰＯＳターミナル１-1〜１-nによって異なるばかりでなく、商品売買取引が行われた時間帯やその取引の合計金額によっても異なり、同じ組み合わせの商品を購入しても時間帯が異なれば宝商品が異なるために宝サービスが得られるか否かは定かでない。同様に、同じ時間帯に宝となる商品を購入しても、合計金額が異なれば必ずしも宝サービスを得られるというわけではない。したがって、客に宝商品がどれなのかを知られにくい上、宝探しとしての要素が大きいので客の興味を大いに引き付け、販売の促進に多大な効果を奏するようになる。
【００４５】
また、宝商品を購入した客が得られるサービスの内容も、そのとき成立した宝探し適用条件によって単品割引，合計割引，商品券の発行等まちまちなので、どのようなサービスが得られるのか客の興味を引き、この点からも販売の促進に効果がある。
【００４６】
なお、前記一実施の形態では宝探し適用条件として取引時間帯と合計金額範囲の２項目としたが、いずれか一方の項目だけであってもよい。また、他の項目、例えば買上点数を加えて宝探し適用条件のパターンを設定することも考えられる。
【００４７】
また、サービスの種類も前記一実施の形態の例に限定されないのはいうまでもないことである。
この他、本発明を電子式キャッシュレジスタやレジスタ機能付対面販売用秤に適用するなど、本発明の要旨を逸脱しない範囲で種々変形実施可能であるのは勿論である。
【００４８】
【発明の効果】
以上詳述したように本願請求項１記載の発明によれば、或る特定の商品を宝に見立てた宝探し形式の販売促進サービスを、店員の負担になることなく宝商品がどれなのかを客に知られにくい状態で実施できる上、宝探しとしての要素が大きく客の興味を引き、販売の促進を図り得る商品販売登録処理装置を提供できる。
また本願請求項２記載の発明によれば、上記請求項１記載の発明と同等の効果を奏することはもとより、宝商品を買い上げたときに得られるサービスの内容もまちまちなので、より一層客の興味を引き、販売の促進を図り得る商品販売登録処理装置を提供できる。
【図面の簡単な説明】
【図１】  本発明の一実施の形態であるＰＯＳシステムの該略図。
【図２】  図１における宝適用条件設定マスタファイルに記憶されるレコードの構成を示す図。
【図３】  図１におけるＰＯＳターミナルの要部構成を示すブロック図。
【図４】  同ＰＯＳターミナルのＲＡＭに形成する主要なメモリエリアを示す図。
【図５】  同ＰＯＳターミナルから発行されるレシートの印字例を示す図。
【図６】  同ＰＯＳターミナルのＣＰＵが登録業務選択時に実行する処理の要部を示す流れ図。
【図７】  図６における宝適用条件判定処理を具体的に示す流れ図。
【図８】  図６における宝商品検索処理を具体的に示す流れ図。
【図９】  図６における宝サービス処理を具体的に示す流れ図。
【符号の説明】
１（１-1〜１-n）…ＰＯＳターミナル
４…宝適用条件設定マスタファイル
５（５-1〜５-n）…宝適用条件設定テーブル
１１…ＣＰＵ
１２…ＲＯＭ
１３…ＲＡＭ
１４…時計回路
３１…登録商品バッファ
３２…取引合計器
【図１】
0003891704.tif 000002
【図２】
0003891704.tif 000003
【図３】
0003891704.tif 000004
【図４】
0003891704.tif 000005
【図５】
0003891704.tif 000006
【図６】
0003891704.tif 000007
【図７】
0003891704.tif 000008
【図８】
0003891704.tif 000009
【図９】
0003891704.tif 000010